(57)【要約】【課題】  導入した学習管理システム製品に依存せずに、インターフェースに対応しているコンテンツベンダのコンテンツ配信サービスを容易に受けることができる学習コンテンツ配信システムおよびその方法を提供する。【解決手段】  サーバＡは、サーバＤが提供する学習コンテンツ配信システム１１Ｄと連携するインターフェースを持つ学習管理システム１０Ａを提供する。学習管理システム１０Ａと学習コンテンツ配信システム１１Ｄは同期をとるために情報を相互に参照し更新する。【選択図】  図１
2005258356.tif 000002
【特許請求の範囲】
【請求項１】
端末と、その端末と接続されたユーザ側の第１のサーバと、学習コンテンツ提供側の第２のサーバとがネットワークにより相互に接続された学習コンテンツ配信システムであって、
前記端末は、受講者情報を前記第１のサーバに登録する受講者情報登録手段を備え、
前記第１のサーバは、前記第２のサーバと学習コンテンツデータを用いた学習に関する情報をネットワークを介してやりとりするためのインターフェースを提供するインターフェース手段を備え、
前記第２のサーバは、学習コンテンツデータを記憶する記憶手段と、
前記学習コンテンツデータを前記端末に提供する提供手段と、
を備えることを特徴とする学習コンテンツ配信システム。
【請求項２】
前記端末は、前記第２のサーバから受信した前記コンテンツデータを表示する表示手段を備え、
前記第１のサーバは、前記インターフェース手段によりやりとりされた前記情報を保存する保存手段を備え、
前記第２のサーバは、前記インターフェース手段によりやりとりされた前記情報を保存する保存手段を備えることを特徴とする請求項１記載の学習コンテンツ配信システム。
【請求項３】
前記第１のサーバは、前記端末から送信される学習履歴データを格納するデータベースと、
前記データベースに格納されている学習履歴データを更新する更新手段と、
を備え、
前記第２のサーバは、前記第１のサーバから送信される学習履歴データを格納するデータベースと、
前記インターフェース手段によりやりとりされた情報に基づいて前記データベースに格納されている学習履歴データを更新する更新手段と、
を備えることを特徴とする請求項１または２記載の学習コンテンツ配信システム。
【請求項４】
ネットワークにより相互に接続された端末と、その端末と接続されたユーザ側の第１のサーバと、学習コンテンツ提供側の第２のサーバとを利用した学習コンテンツ配信方法であって、
前記端末が、受講者情報を前記第１のサーバに登録するステップと、
前記第１のサーバが、前記第２のサーバと学習コンテンツデータを用いた学習に関する情報をネットワークを介してやりとりするステップと、
前記第２のサーバが、記憶されている学習コンテンツデータを前記端末に提供するステップと、
を有することを特徴とする学習コンテンツ配信方法。
【請求項５】
前記端末はが、前記第２のサーバから受信した前記コンテンツデータを表示するステップと、
前記第１のサーバが、前記第２のサーバとやりとりした前記情報を保存するステップと、
前記第２のサーバが、前記第１のサーバとやりとりした前記情報を保存するステップと、
を有することを特徴とする請求項５記載の学習コンテンツ配信方法。
【請求項６】
前記第１のサーバが、前記端末から送信される学習履歴データを格納するデータベースに格納されている学習履歴データを更新するステップと、
前記第２のサーバが、前記第１のサーバとやりとりした情報に基づいて、前記第１のサーバから送信される学習履歴データを格納するデータベースに格納されている学習履歴データを更新するステップと、
を有することを特徴とする請求項４または５記載の学習コンテンツ配信方法。
【発明の詳細な説明】
【技術分野】
【０００１】
本発明は、学習管理と学習コンテンツ配信が連携されている学習コンテンツ配信システムおよびその方法に関する。
【背景技術】
【０００２】
従来、オンライン学習システムは、受講登録等の学習管理を行なう機能を有する学習管理システムと、実際の学習を行なう機能を有する学習コンテンツ配信システムがそれぞれの製品独自の仕様で連携、あるいは一体となっているため、学習管理システムと学習コンテンツ配信システムに関する製品を同一のベンダから購入する必要があった。
【０００３】
ここで、プロバイダがコンテンツ提供者から提供されたコンテンツのデータベースを構築して、プロバイダとコンテンツ提供者間、プロバイダとサービス提供者間をネット化する事業と、ユーザからの要求に応答してコンテンツのデータベースから抽出した教材をインターネットを通じてユーザに提供する事業を受け持ち、サービス提供者は、プロバイダから提供を受けたコンテンツを基にユーザに対するサービスの提供を行い、少ない初期費用で容易に教育サービスの提供を可能とする技術が提案されている（例えば、特許文献１参照）。
【特許文献１】特開２００２−３５１９９９号公報
【発明の開示】
【発明が解決しようとする課題】
【０００４】
しかしながら、上述した従来例においては次のような問題点があった。
【０００５】
企業が学習コンテンツを購入する際には、自社内に構築した学習コンテンツ配信システムへコンテンツを配置する必要があり、企業およびコンテンツベンダ双方の手間が発生し、そのため、気軽に学習コースを導入することができないという問題点があった。
【０００６】
そこで、本発明は、学習管理システムと学習コンテンツ配信システム間の連携をそれぞれの製品独自ではなく、製品間で共通のインターフェースを持つことにより、どの学習管理システム製品を導入しても、インターフェースに対応している複数のコンテンツベンダのコンテンツ配信サービスを容易に受けることができる学習コンテンツ配信システムおよびその方法を提供することを目的とする。
【課題を解決するための手段】
【０００７】
請求項１記載の発明は、端末と、その端末と接続されたユーザ側の第１のサーバと、学習コンテンツ提供側の第２のサーバとがネットワークにより相互に接続された学習コンテンツ配信システムであって、前記端末は、受講者情報を前記第１のサーバに登録する受講者情報登録手段を備え、前記第１のサーバは、前記第２のサーバと学習コンテンツデータを用いた学習に関する情報をネットワークを介してやりとりするためのインターフェースを提供するインターフェース手段を備え、前記第２のサーバは、学習コンテンツデータを記憶する記憶手段と、前記学習コンテンツデータを前記端末に提供する提供手段とを備えることを特徴とする学習コンテンツ配信システムである。
【０００８】
請求項２記載の発明は、請求項１記載の学習コンテンツ配信システムであって、前記端末は、前記第２のサーバから受信した前記コンテンツデータを表示する表示手段を備え、前記第１のサーバは、前記インターフェース手段によりやりとりされた前記情報を保存する保存手段を備え、前記第２のサーバは、前記インターフェース手段によりやりとりされた前記情報を保存する保存手段を備える。
【０００９】
請求項３記載の発明は、請求項１または２記載の学習コンテンツ配信システムであって、前記第１のサーバは、前記端末から送信される学習履歴データを格納するデータベースと、前記データベースに格納されている学習履歴データを更新する更新手段と、を備え、前記第２のサーバは、前記第１のサーバから送信される学習履歴データを格納するデータベースと、前記インターフェース手段によりやりとりされた情報に基づいて前記データベースに格納されている学習履歴データを更新する更新手段と、を備える。
【００１０】
請求項４記載の学習コンテンツ配信方法は、ネットワークにより相互に接続された端末と、その端末と接続されたユーザ側の第１のサーバと、学習コンテンツ提供側の第２のサーバとを利用した学習コンテンツ配信方法であって、前記端末が、受講者情報を前記第１のサーバに登録するステップと、前記第１のサーバが、前記第２のサーバと学習コンテンツデータを用いた学習に関する情報をネットワークを介してやりとりするステップと、前記第２のサーバが、記憶されている学習コンテンツデータを前記端末に提供するステップと、を有することを特徴とする学習コンテンツ配信方法である。
【００１１】
請求項５記載の発明は、請求項４記載の学習コンテンツ配信方法であって、前記端末はが、前記第２のサーバから受信した前記コンテンツデータを表示するステップと、前記第１のサーバが、前記第２のサーバとやりとりした前記情報を保存するステップと、前記第２のサーバが、前記第１のサーバとやりとりした前記情報を保存するステップと、を有する。
【００１２】
請求項６記載の発明は、請求項４または５記載の学習コンテンツ配信方法であって、前記第１のサーバが、前記端末から送信される学習履歴データを格納するデータベースに格納されている学習履歴データを更新するステップと、前記第２のサーバが、前記第１のサーバとやりとりした情報に基づいて、前記第１のサーバから送信される学習履歴データを格納するデータベースに格納されている学習履歴データを更新するステップと、を有する。
【発明の効果】
【００１３】
本発明の学習コンテンツ配信システムよれば、自社内に学習コンテンツ配信システムを構築し、コンテンツベンダから自社内へわざわざ購入した学習コンテンツを配置することなく、容易に各コンテンツベンダのコンテンツを利用できるようになるため、コンテンツ利用の利便性が高くなる。
【発明を実施するための最良の形態】
【００１４】
図１を参照すると、学習管理システム１０Ａを提供するサーバＡと、学習者が操作する端末１、端末２とがＡ社に設けられている。また、学習管理システム１０Ｂを提供するサーバＢ１と、学習コンテンツ配信システム１１Ｂを提供するサーバＢ２と、学習者が操作する端末３、端末４とがＢ社に設けられている。ただし、サーバＢ２はＢ社専用の学習コンテンツ配信システム１１Ｂを提供する。また、学習コンテンツ配信システム１１Ｄを提供するサーバＤがＤ社に設けられている。また、学習コンテンツ配信システム１１Ｅを提供するサーバＥがＥ社に設けられている。また、学習コンテンツ配信システム１１Ｆを提供するサーバＦがＦ社に設けられている。サーバＡと、サーバＢと、サーバＤと、サーバＥと、サーバＦとがネットワーク１００を介して接続されている。
【００１５】
端末１および端末２は、イントラネットもしくはインターネットを経由してサーバＡが提供する学習管理システム１０Ａと通信し、受講申込等の学習管理システムの機能を利用する。また、ネットワーク１００を経由してサーバＤ、サーバＥおよびサーバＦが提供する学習コンテンツ配信システムと通信し、学習コンテンツ配信システムの機能を利用する。
【００１６】
端末３および端末４は、イントラネットもしくはインターネットを経由してサーバＢ１が提供する学習管理システム１０Ｂと通信し、受講申込等の学習管理システムの機能を利用する。また、サーバＢ２が提供する学習コンテンツ配信システムと通信し、学習コンテンツ配信システムの機能を利用する。
【００１７】
各企業側で導入する学習管理システムは、受講者情報、コース情報および学習履歴情報等を保持し、受講登録等の学習管理を行う機能を有している。また、システム間でＷｅｂサービス等を利用して、連携のために必要な情報をやりとりするためのインターフェースを有している。
【００１８】
コンテンツベンダ側で導入する学習コンテンツ配信システムは、受講者情報、コース情報および学習履歴情報等を保持し、さらに学習コンテンツを配置し、実際の学習内容を提供する機能を有している。また、システム間でＷｅｂサービス等を利用して、連携のために必要な情報をやりとりするためのインターフェースを有している。
【００１９】
次に、図３を参照して本実施形態の動作について詳細に説明する。
【００２０】
まず、サーバ間登録処理について説明する。サーバＡが提供する学習管理システム１０Ａと、サーバＤ、サーバＥおよびサーバＦが提供する学習コンテンツ配信システムとで、会社情報およびＵＲＬ（Uniform Resource Locators）情報等のサーバ情報を相互に登録し、相互に認識可能とする。さらに、Ｂ社内におけるサーバＢ１とサーバＢ２、サーバＤ、サーバＥおよびサーバＦ間で同様の登録処理が行われる（Ｓ３０１）。
【００２１】
次に、コンテンツ情報取得処理について説明する。サーバＤ、サーバＥおよびサーバＦが提供する学習コンテンツ配信システムではその各学習コンテンツ配信システムに登録されているサーバＡが提供する学習管理システム１０Ａ毎に学習コンテンツ情報を設定する（Ｓ３０２）。これにより、各コンテンツベンダは、各企業に対して個々の契約に基づいた学習コンテンツの公開を行うことが可能となる。
【００２２】
そして、サーバＡが提供する学習管理システム１０Ａは、ネットワーク１００を経由して、サーバＤ、サーバＥおよびサーバＦによる学習コンテンツ配信システムが提供するコンテンツ情報を取得し、受講者が操作する端末１あるいは端末２のディスプレイ等の画面へ表示させる（Ｓ３０３）。これにより受講者は、所望の学習コンテンツ等を選択する際に参照する情報を入手することができる。各学習コンテンツに含まれる情報としては、例えば、公開する学習コンテンツ名情報、コース詳細情報、学習開始ＵＲＬ情報、価格情報、ライセンス可能な受講登録可能者数情報、受講可能期間情報等である。各学習コンテンツに含まれる情報は、定期的に学習管理システムと学習コンテンツ配信システム間で送受信し、情報の同期がとられていてもよい。また、Ｂ社内におけるサーバＢ１とサーバＢ２、サーバＤ、サーバＥおよびサーバＦとの間で同様の処理が行われてもよい。
【００２３】
次に、受講登録処理について説明する。受講者は端末１あるいは端末２を用いてサーバＡが提供する学習管理システム１０Ａ上でコンテンツ情報に基づいて学習コンテンツ一覧から所望の学習コンテンツを選択し、受講登録を学習管理システム上で行う（Ｓ３０４）。また、Ｂ社内における受講者は端末３あるいは端末４を用いてサーバＢ１が提供する学習管理システム１０Ｂ上で同様の処理を行ってもよい。
【００２４】
次に、学習開始処理について説明する。受講者が学習を開始する際には、受講者は端末１あるいは端末２を用いてサーバＡが提供する学習管理システム１０Ａ上で開始ボタン等をクリックする（Ｓ３０５）。また、Ｂ社内における受講者は端末３あるいは端末４を用いてサーバＢ１が提供する学習管理システム１０Ｂ上で同様の処理を行ってもよい。
【００２５】
そして、受講者が開始ボタン等をクリックした際に、サーバＡが提供する学習管理システム１０Ａから会社情報およびユーザIＤ等の受講者を一意に識別する識別情報をサーバＤ、サーバＥおよびサーバＦが提供する学習コンテンツ配信システムへ送信する（Ｓ３０６）。また、Ｂ社内におけるサーバＢ１が提供する学習管理システム１０Ｂ上からサーバＢ２、サーバＤ、サーバＥおよびサーバＦが提供する学習コンテンツ配信システムへ同様の処理を行ってもよい。
【００２６】
そして、サーバＤ、サーバＥおよびサーバＦが提供する学習コンテンツ配信システムではユーザIＤ情報および会社情報等から受講者を特定し、学習コンテンツ配信システム上で学習コンテンツを用いて学習を開始させる。これにより、受講者は端末１あるいは端末２を用いてサーバＤ、サーバＥおよびサーバＦが提供する学習コンテンツ配信システム上で学習を行うことができる。２度目以降の学習を開始する際にもユーザIＤ情報および会社情報等から受講者を特定して、その受講者の学習履歴情報を用いて学習を開始させる（Ｓ３０７）。また、Ｂ社内においてサーバＢ２が提供する学習コンテンツ配信システム１１Ｂで同様の処理を行ってもよい。
【００２７】
次に、学習コンテンツ終了処理について説明する。受講者が学習を終了する際には、受講者は端末１あるいは端末２を用いてサーバＤ、サーバＥおよびサーバＦが提供する学習コンテンツ配信システム上で終了ボタン等をクリックする（Ｓ３０８）。また、Ｂ社内における受講者は端末３あるいは端末４を用いてサーバＢ２、サーバＤ、サーバＥおよびサーバＦが提供する学習コンテンツ配信システム上で同様の処理を行ってもよい。
【００２８】
そして、１回の受講終了毎にサーバＤ、サーバＥおよびサーバＦが提供する学習コンテンツ配信システムは、サーバＡが提供する学習管理システム１０Ａへ学習終了情報を送信し、学習管理システム上で学習履歴情報を更新する必要があるか否かが判断され（Ｓ３０９）、必要がある場合には、学習終了情報に基づいて学習履歴情報へ反映する。その学習履歴情報は、サーバＡとサーバＤ、サーバＥおよびサーバＦとの間のやりとりにより、サーバＡにおける学習履歴情報へ反映される（Ｓ３１０）。また、Ｂ社内におけるサーバＢ２、サーバＤ、サーバＥおよびサーバＦが提供する学習コンテンツ配信システムとサーバＢ１が提供する学習管理システム１０Ｂとの間で同様の処理を行ってもよい。
【００２９】
そして、サーバＡが提供する学習管理システム１０Ａではその学習履歴を反映した学習履歴情報を、受講者の端末１あるいは端末２のディスプレイ等の画面に表示する（Ｓ３１１）。また、Ｂ社内におけるサーバＢ１が提供する学習管理システム１０Ｂと受講者の端末３あるいは端末４との間で同様の処理を行ってもよい。
【００３０】
さらに、受講登録情報あるいは学習履歴情報に基づいて算定されるシステム利用料金からコンテンツベンダが各企業に対して課金処理を行ってもよい（Ｓ３１２）。
【００３１】
なお、上記ステップ３０４〜３１１は、受講者の学習コースの選択毎に繰り返され、また、上記ステップ３０５〜３１１は、受講者が学習を行う都度繰り返される処理である。
【００３２】
上記の実施形態によれば、コンテンツベンダ側としても、各ユーザ毎に学習コンテンツを配置する手間がなくなるとともに、コンテンツを各ユーザ毎の学習コンテンツ配信システムに合わせる必要がなくなり、制作コストを低減することが可能になる。さらに、学習コンテンツの内容に関しても、インターフェースのみ合致させれば、その他の部分は独自に構築できるので、各コンテンツベンダの特徴をいかした学習コンテンツの配信を行うことができる。
【００３３】
次に、本発明の他の実施の形態について図２を参照して詳細に説明する。
【００３４】
学習管理システムと学習コンテンツ配信システム間の連携は基本的に上記の実施形態と同様である。ただし、Ｇ社に設けられているサーバＧが提供する学習コンテンツ配信システム２１Ｇ側はＨ社、Ｉ社およびＪ社の複数のコンテンツベンダも共同で学習コンテンツ配信システム２１Ｇを構築している。この場合であっても、サーバＡが提供する学習管理システム２０ＡとサーバＧが提供する学習コンテンツ配信システム２１Ｇ側では、それぞれの企業ないしはコンテンツベンダを認識できる構成となっている。
【００３５】
上記の実施形態によれば、１つのサーバを利用して複数のコンテンツベンダの学習コンテンツを管理することができるため、システム管理コストの低減および保守管理の容易化を図ることができる。
【００３６】
なお、上述する実施の形態は、本発明の好適な実施の形態であり、本発明の要旨を逸脱しない範囲内において種々変更実施が可能である。例えば、複数のコンテンツベンダがネットワークを介して１つのサーバを共有してそのサーバ上に学習コンテンツ配信システムを構築することであってもよい。さらに、上記各実施形態における処理動作の全部または一部を情報処理装置により実行させるためのプログラムも本発明に属する。
【図面の簡単な説明】
【００３７】
【図１】本発明の第一の実施形態におけるシステムの概略構成を示す図である。
【図２】本発明の他の実施形態におけるシステムの概略構成を示す図である。
【図３】学習コンテンツ配信処理の動作を示すフローチャートである。
【符号の説明】
【００３８】
１、２、３、４    端末
Ａ、Ｂ１、Ｄ、Ｅ、Ｆ    サーバ
１０Ａ、１０Ｂ    学習管理システム
１１Ｂ、１１Ｄ、１１Ｅ、１１Ｆ    学習コンテンツ配信システム
１００    ネットワーク
【図１】
2005258356.tif 000003
【図２】
2005258356.tif 000004
【図３】
2005258356.tif 000005